(57)【要約】【課題】Ｃｕ材料を用いる場合に生じる問題を回避するとともに、下層側の配線の段差に起因するディスクリネーション不良や上層側配線の断線不良の発生を抑制することができる配線構造を備えた液晶表示装置用基板及びその製造方法の提供。【解決手段】下層配線（ゲート配線２）を、Ｃｕ層４の周囲をバリア金属膜３ａ、３ｂで被覆した構造とし、バリア金属膜３ａ、３ｂでＣｕとＳｉとの接触を防止し、耐薬品性、耐腐食性及び密着性を向上させる。また、予め透明絶縁基板１に溝１２を形成し、その中に上記構造の下層配線を埋設することにより、下層配線の段差に起因するディスクリネーション不良や上層配線の断線不良の発生を抑制する。これによりＡｌよりも抵抗の小さいＣｕを使用可能とし、下層配線を厚く形成できるため、大型、高密度かつ開口率の大きい液晶表示装置の表示品位を向上させることができる。【選択図】図２
2006258965.tif 000002
【特許請求の範囲】
【請求項１】
互いに略直交する方向に延在する下層側の第１の配線及び上層側の第２の配線と、前記第１の配線と前記第２の配線との交点近傍に配設されるスイッチング素子と、前記第１の配線と前記第２の配線とで囲まれる各々の画素領域内に形成される画素電極とを少なくとも備える液晶表示装置用基板において、
前記第１の配線は、透明絶縁基板に予め形成された溝に埋設された、Ｃｕ層とその周囲を覆うバリア金属膜とで構成されることを特徴とする液晶表示装置用基板。
【請求項２】
互いに略直交する方向に延在する下層側の第１の配線及び上層側の第２の配線と、前記第１の配線と前記第２の配線との交点近傍に配設されるスイッチング素子と、前記第１の配線と前記第２の配線とで囲まれる各々の画素領域内に形成される画素電極と、前記第２の配線と前記画素電極との間の領域の一部を含むように形成される前記第１の配線と同層の遮光膜とを少なくとも備える液晶表示装置用基板において、
前記第１の配線及び前記遮光膜は、透明絶縁基板に予め形成された溝に埋設された、Ｃｕ層とその周囲を覆うバリア金属膜とで構成されることを特徴とする液晶表示装置用基板。
【請求項３】
前記バリア金属膜は、前記溝の底部及び側壁に配設された第１のバリア金属膜と、前記溝の上部に配設された第２のバリア金属膜とで構成されることを特徴とする請求項１又は２に記載の液晶表示装置用基板。
【請求項４】
互いに略直交する方向に延在する下層側の第１の配線及び上層側の第２の配線と、前記第１の配線と前記第２の配線との交点近傍に配設されるスイッチング素子と、前記第１の配線と前記第２の配線とで囲まれる各々の画素領域内に形成される画素電極とを少なくとも備える液晶表示装置用基板の製造方法であって、
前記第１の配線を、
透明絶縁性基板の前記第１の配線を形成する領域に溝を形成する工程と、
前記溝の底部及び側壁に第１のバリア金属膜を形成する工程と、
前記第１のバリア膜で囲まれた領域にＣｕ層を形成する工程と、
前記溝の上部に第２のバリア金属膜を形成する工程と、により形成することを特徴とする液晶表示装置用基板の製造方法。
【請求項５】
互いに略直交する方向に延在する下層側の第１の配線及び上層側の第２の配線と、前記第１の配線と前記第２の配線との交点近傍に配設されるスイッチング素子と、前記第１の配線と前記第２の配線とで囲まれる各々の画素領域内に形成される画素電極とを少なくとも備える液晶表示装置用基板の製造方法であって、
前記第１の配線を、
透明絶縁性基板の前記第１の配線を形成する領域に溝を形成する工程と、
第１のバリア膜とＣｕ層とを連続して成膜し、前記溝の底部及び側壁に第１のバリア金属膜を形成すると共に前記第１のバリア膜で囲まれた領域にＣｕ層を形成する工程と、
前記溝の上部に第２のバリア金属膜を形成する工程と、により形成することを特徴とする液晶表示装置用基板の製造方法。
【請求項６】
前記第１の配線を形成する際に、
前記透明絶縁性基板の前記第２の配線を形成する領域と前記画素電極を形成する領域との間の一部を含む領域に前記溝を形成し、該溝に前記第１の配線と同じ構造の遮光膜を形成することを特徴とする請求項４又は５に記載の液晶表示装置用基板の製造方法。
【発明の詳細な説明】
【技術分野】
【０００１】
本発明は、液晶表示装置用基板及びその製造方法に関し、特に、ＴＦＴ基板の配線構造及びその製造方法に関する。
【背景技術】
【０００２】
近年、高解像度のディスプレイとして液晶表示装置が広く用いられている。この液晶表示装置は、薄膜トランジスタ（ＴＦＴ：Thin Film Transistor）等のスイッチング素子が形成された基板（以下、ＴＦＴ基板と呼ぶ。）とカラーフィルタ、ブラックマトリクス等が形成された対向基板との間に液晶を狭持し、ＴＦＴ基板と対向基板の各々に設けた電極間、又はＴＦＴ基板内に設けた複数の電極間の電界で液晶分子の配向方向を変化させ、光の透過量を各々の画素で制御するものである。
【０００３】
また、上記ＴＦＴ基板には、ゲート配線（走査線）やドレイン配線（信号線）、共通配線などの各種配線が格子状に形成され、これらの配線の端部には、ＴＡＢなどにより取り付けられる外部の駆動回路素子に接続されるためのゲート入力端子、ドレイン入力端子、共通電極入力端子が設けられている。
【０００４】
この液晶表示装置は大型になるほど上記配線が長くなり、それに伴って配線の抵抗が増加し、信号の遅延により表示品位が低下してしまう。また、液晶表示装置は高密度化や開口率の向上が求められており、そのためには配線を細くする必要があるが、配線を細くすると同様に抵抗が増加し、信号の遅延により表示品位が低下してしまう。特に、ゲート配線材料として従来から使用されているＡｌは抵抗が高いため、ゲート配線遅延のために高画質の液晶表示装置を得ることができない。そこで、配線の抵抗を低減するために、配線材料としてＡｌより低抵抗なＣｕを使用する方法が提案されている（例えば、特開２００２−２０２５１９号公報等）。
【０００５】
【特許文献１】特開２００２−２０２５１９号公報（第３〜４頁、第２図）
【発明の開示】
【発明が解決しようとする課題】
【０００６】
しかしながら、配線材料としてＣｕを使用する場合、ＣｕはＳｉ膜（ＳｉＯ２、ＳｉＮｘなど）との相互反応により膜質が劣化しやすく、また、Ｃｕは耐薬品性や耐腐食性に乏しいためにＴＦＴ基板の製造段階でエッチングされやすく、更に、Ｃｕは基板との密着性が悪いために信頼性が得られないなどの欠点があり、Ｃｕ単層では使用できないという問題がある。
【０００７】
また、従来の液晶表示装置では上記配線は透明絶縁基板上に形成されているため、下層側の配線（逆スタガ構造の場合はゲート配線）の段差の影響が上層側の配線や液晶層に現れるが、配線抵抗を低減するために膜厚を大きくすると下層側の配線の段差の影響が顕著になり、液晶配向の乱れによるディスクリネーション不良や上層配線の断線不良が発生しやすくなるという問題がある。
【０００８】
本発明は、上記問題点に鑑みてなされたものであって、その主たる目的は、Ｃｕ材料を用いる場合に生じる問題を回避するとともに、下層側の配線の段差に起因するディスクリネーション不良や上層側配線の断線不良の発生を抑制することができる配線構造を備えた液晶表示装置用基板及びその製造方法を提供することにある。
【課題を解決するための手段】
【０００９】
上記目的を達成するため、本発明は、互いに略直交する方向に延在する下層側の第１の配線及び上層側の第２の配線と、前記第１の配線と前記第２の配線との交点近傍に配設されるスイッチング素子と、前記第１の配線と前記第２の配線とで囲まれる各々の画素領域内に形成される画素電極とを少なくとも備える液晶表示装置用基板において、前記第１の配線は、透明絶縁基板に予め形成された溝に埋設された、Ｃｕ層とその周囲を覆うバリア金属膜とで構成されるものである。
【００１０】
また、本発明は、互いに略直交する方向に延在する下層側の第１の配線及び上層側の第２の配線と、前記第１の配線と前記第２の配線との交点近傍に配設されるスイッチング素子と、前記第１の配線と前記第２の配線とで囲まれる各々の画素領域内に形成される画素電極と、前記第２の配線と前記画素電極との間の領域の一部を含むように形成される前記第１の配線と同層の遮光膜とを少なくとも備える液晶表示装置用基板において、前記第１の配線及び前記遮光膜は、透明絶縁基板に予め形成された溝に埋設された、Ｃｕ層とその周囲を覆うバリア金属膜とで構成されるものである。
【００１１】
本発明においては、前記バリア金属膜は、前記溝の底部及び側壁に配設された第１のバリア金属膜と、前記溝の上部に配設された第２のバリア金属膜とで構成される構成とすることができる。
【００１２】
また、本発明の方法は、互いに略直交する方向に延在する下層側の第１の配線及び上層側の第２の配線と、前記第１の配線と前記第２の配線との交点近傍に配設されるスイッチング素子と、前記第１の配線と前記第２の配線とで囲まれる各々の画素領域内に形成される画素電極とを少なくとも備える液晶表示装置用基板の製造方法であって、前記第１の配線を、透明絶縁性基板の前記第１の配線を形成する領域に溝を形成する工程と、前記溝の底部及び側壁に第１のバリア金属膜を形成する工程と、前記第１のバリア膜で囲まれた領域にＣｕ層を形成する工程と、前記溝の上部に第２のバリア金属膜を形成する工程と、により形成するものである。
【００１３】
また、本発明の方法は、互いに略直交する方向に延在する下層側の第１の配線及び上層側の第２の配線と、前記第１の配線と前記第２の配線との交点近傍に配設されるスイッチング素子と、前記第１の配線と前記第２の配線とで囲まれる各々の画素領域内に形成される画素電極とを少なくとも備える液晶表示装置用基板の製造方法であって、前記第１の配線を、透明絶縁性基板の前記第１の配線を形成する領域に溝を形成する工程と、第１のバリア膜とＣｕ層とを連続して成膜し、前記溝の底部及び側壁に第１のバリア金属膜を形成すると共に前記第１のバリア膜で囲まれた領域にＣｕ層を形成する工程と、前記溝の上部に第２のバリア金属膜を形成する工程と、により形成するものである。
【００１４】
本発明においては、前記第１の配線を形成する際に、前記透明絶縁性基板の前記第２の配線を形成する領域と前記画素電極を形成する領域との間の一部を含む領域に前記溝を形成し、該溝に前記第１の配線と同じ構造の遮光膜を形成する構成とすることができる。
【００１５】
このように、下層側の第１の配線（又は第１の配線と遮光膜）をＣｕ層の周囲をバリア金属膜で被覆した構造にすることにより、ＣｕとＳｉとの相互反応を抑制し、耐薬品性および耐腐食性を向上させ、更に、透明絶縁基板との密着性も向上させることができる。また、予め透明絶縁基板に溝を形成し、その中に第１の配線を埋設することにより、第１の配線の段差をなくしてディスクリネーション不良や上層側の第２の配線の断線不良の発生を抑制することができる。
【発明の効果】
【００１６】
以上説明したように、本発明の液晶表示装置用基板及びその製造方法によれば、下記記載の効果を奏する。
【００１７】
本発明の第１の効果は、ＣｕとＳｉとの相互反応を抑制し、耐薬品性、耐腐食性、透明絶縁基板との密着性を向上させることができるということである。その理由は、Ｃｕ層のみで下層配線を形成するのではなく、Ｃｕ層の周囲をバリア金属膜で被覆した構造としているため、バリア金属により、ＣｕとＳｉとの接触を防止し、耐薬品性、耐腐食性及び密着性を向上させることができるからである。
【００１８】
また、本発明の第２の効果は、下層配線の段差に起因するディスクリネーション不良や上層配線の断線不良の発生を抑制することができるということである。その理由は、下層配線を透明絶縁基板上に形成するのではなく、透明絶縁基板に下層配線を埋設するための溝を設けておき、その中に上記構造の下層配線を形成しているからである。
【発明を実施するための最良の形態】
【００１９】
従来技術で示したように、液晶表示装置用基板の配線材料として、従来より使用されているＡｌに代えてＣｕを用いる方法が提案されているが、ＣｕはＳｉ膜との相互作用により膜質が劣化しやすく、耐薬品性や耐腐食性に乏しく、更に透明絶縁基板との密着性が悪いという問題がある。また、液晶表示装置ではゲート配線とドレイン配線とが格子状に形成されるため、下層配線の段差の影響が上層配線や液晶層に現れるが、抵抗を低減するために下層配線の膜厚を大きくするとその分段差が大きくなり、ディスクリネーション不良や上層配線の断線不良が発生しやすくなる。
【００２０】
そこで、本発明では、下層側の配線（逆スタガ構造の場合はゲート配線）を、Ｃｕ層の周囲をバリア金属膜で被覆した構造とすることにより、バリア金属膜で、ＣｕとＳｉとの接触を防止し、耐薬品性、耐腐食性及び密着性を向上させる。また、予め透明絶縁基板に溝を形成し、その中に上記構造の下層配線を埋設することにより、下層配線の段差に起因するディスクリネーション不良や上層配線の断線不良の発生を抑制している。そして、このような構造を採用することにより、Ａｌよりも抵抗の小さいＣｕが使用可能となり、更に、下層配線を厚く形成することができるため、下層配線の信号遅延を抑制して、大型、高密度、かつ、開口率の大きい液晶表示装置の表示品位を向上させることができる。
【実施例１】
【００２１】
上記した本発明の実施の形態についてさらに詳細に説明すべく、本発明の第１の実施例に係る液晶表示装置用基板及びその製造方法について、図１乃至図４を参照して説明する。図１は、液晶表示装置を構成するＴＦＴ基板のゲート配線とドレイン配線の交点近傍の構造を模式的に示す平面図であり、図２は、本実施例のＴＦＴ基板の製造方法を示す工程断面図である。また、図３及び図４は、本発明の構造と従来の構造とを比較するための図である。なお、以下では本発明の構造を逆スタガ構造のＴＦＴ基板に適用する場合について示す。
【００２２】
本実施例の液晶表示装置は、薄膜トランジスタ等のスイッチング素子が形成されたＴＦＴ基板と、カラーフィルタ、ブラックマトリクス等が形成された対向基板と、両基板の間に挟持される液晶とからなり、ＴＦＴ基板には、図１に示すように、一の方向に延在するゲート配線２と、ゲート絶縁膜を介してゲート配線２に略直交する方向に延在するドレイン配線８ｂとが形成されており、ゲート配線２とドレイン配線８ｂとの交差部近傍には、アモルファスシリコンやポリシリコンなどの半導体層を用いて形成され、ゲート電極がゲート配線２に、ドレイン電極がドレイン配線８ｂに接続されたＴＦＴが配設され、ゲート配線２とドレイン配線８ｂとで囲まれた画素領域内には、ＴＦＴのソース電極８ａにコンタクトホール１１で接続される画素電極１０が形成されている。また、必要に応じて、ドレイン配線８ｂと画素電極１０との間の領域には、画素電極１０の周囲に入射する光を遮光するためのゲート遮光膜２ａがゲート配線２と同層に形成されている。
【００２３】
また、図１のＡ−Ａ’線の断面構造は図２（ｆ）のようになり、ゲート配線２（及びゲート遮光膜２ａ）は透明絶縁基板１に埋め込まれており、かつ、ゲート配線２（及びゲート遮光膜２ａ）はＣｕ層４の周囲がバリア金属膜（下層バリア金属膜３ａ及び上層バリア金属膜３ｂ）で覆われた構造となっている。
【００２４】
このように、Ｃｕ層４の周囲がバリア金属膜３ａ、３ｂによって完全に覆われた構造となっているため、Ｓｉとの相互反応を抑制することができる。また、ゲート絶縁膜５のピンホールなどにより薬液がゲート配線２をアタックする際も、バリア金属膜３ｂがＣｕ層４の腐食を抑制し、ゲート配線２の断線不良を防ぐことができる。更に、ゲート配線２と透明絶縁基板１との密着性をバリア金属膜３ａで保持する効果も得られる。
【００２５】
また、このような構造を採用することにより、通常、透明絶縁基板１上に形成されていたゲート配線２による段差がなくなるため、液晶配向の乱れによるディスクリネーション不良を抑制することができ、また、上層にあるドレイン配線８ｂの断線不良やソース／ドレイン電極の断切れ不良も抑制することができる。この効果について、従来構造と比較して説明する。
【００２６】
図３は、図１のＢ−Ｂ’線における断面図であり、（ａ）が本発明の構造、（ｂ）が従来の構造である。この図は、ドレイン配線２脇に配置しているゲート遮光膜２ａによる段差の違いを表している。図３に示すように、従来の構造では、ゲート遮光膜２ａによる段差が画素電極１０の段差に直結してしまい、ディスクリネーションを招く恐れがある。これに対して本発明の構造のようにゲート遮光膜２ａが透明絶縁基板１に埋め込まれていれば、ＴＦＴ最上層の画素電極１０が平坦になるため、ディスクリネーション不良を抑制することができる。
【００２７】
また、図４は、図１のＣ−Ｃ’線における断面図であり、（ａ）が本発明の構造、（ｂ）が従来の構造である。この図は、ドレイン配線８ｂとゲート配線２の交差部の断面図である。従来構造のようにゲート配線２の段差があると、その上層に形成するドレイン配線８ｂで配線断切れなどが生じる恐れがあるが、本発明の構造のようにゲート配線２が透明絶縁基板１に埋め込まれていれば、ドレイン配線８ｂはゲート配線２の段差を乗り越える必要がなくなるため、ドレイン配線８ｂの断線不良を抑制することができる。
【００２８】
次に、実施例のＴＦＴ基板の製造方法について、図１及び図２を参照して説明する。図２は、図１のＡ−Ａ’線における断面構造を工程順に示した断面図である。
【００２９】
まず、図２（ａ）、（ｂ）に示すように、ガラスやプラスチックなどの透明絶縁基板１に、公知のフォトリソグラフィー技術及びエッチング技術を用いてゲート配線を埋設するための溝１２を形成する。具体的には、ガラスにレジスト１３を塗布してパターニングし、バッファードフッ酸によりガラスをエッチングして、３００〜５００ｎｍ程度の深さの溝１２を形成する。
【００３０】
次に、図２（ｃ）に示すように、リフトオフ技術により下層バリア金属膜３ａを溝１２に形成する。具体的には、ガラスをバッファードフッ酸によりエッチングした後、レジスト１３を剥離する前に下層バリア金属膜３ａをスパッタリングする。このスパッタリングの際、レジスト１３下の透明絶縁基板１がサイドエッチングされた部分にもスパッタ金属が回りこみ成膜されるため、溝１２の側壁にも下層バリア金属膜３ａを形成することが可能である。その後、レジスト１３を剥離して溝１２以外の下層バリア金属膜３ａを除去する。この下層バリア金属膜３ａは、例えばＣｒ、Ｍｏ、Ｔｉなどの高融点金属を用いることができ、その厚さは５０〜１００ｎｍ程度とする。
【００３１】
次に、図２（ｄ）に示すように、下層バリア金属膜３ａ上にＣｕ膜４を形成する。具体的には、無電解メッキ法を用いて下層バリア金属膜３ａの上部にのみＣｕ層４を形成する。このＣｕ層４の厚さは、透明絶縁基板１の表面から盛り上がらない程度の膜厚（２００〜３００ｎｍ程度）とする。なお、Ｃｕ層４はＣｕを主成分とするものであればよく、他の材料を含んでいてもよい。
【００３２】
次に、図２（ｅ）に示すように、上層バリア金属膜３ｂをゲートパターン上に形成し、透明絶縁基板１に埋め込まれたゲート配線２を完成させる。この上層バリア金属膜３ｂは、無電解メッキ法を用いて形成することができるが、スパッタリング後、フォトリソグラフィー技術を用いることによっても形成可能である。この上層バリア金属膜３ｂは、例えばＣｒ、Ｍｏ、Ｔｉなどの高融点金属を用いることができ、その厚さは５０〜１００ｎｍ程度とする。また、上記ゲート配線２を形成する際に、ドレイン配線が形成される領域と画素電極が形成される領域との間の一部に、画素電極周囲から入射する余分な光を遮断するためのゲート遮光膜２ａを形成する。
【００３３】
その後、全面に例えばＳｉＮ膜をプラズマＣＶＤによって３００〜５００ｎｍ程度の厚さで成膜してゲート絶縁膜５を形成し、その上に真性ａ−Ｓｉ膜６を２００ｎｍ程度、その上にオーミック層としてリンを含むｎ＋型ａ−Ｓｉ膜７を５ｎｍ程度の厚さでそれぞれプラズマＣＶＤ法により形成する。そして、所要パターンに形成したレジスト（図示せず）をマスクとして上記ｎ＋型ａ−Ｓｉ膜７、真性ａ−Ｓｉ膜６を順次ドライエッチングし、ゲート電極の直上にゲート絶縁膜５を介してアイランド状の半導体層を形成する。なお、この半導体層はポリシリコンを用いて形成してもよい。
【００３４】
次に、全面にスパッタリング法により、Ｍｏなどのドレイン金属層８を２００ｎｍ程度堆積し、所要パターンに形成したレジスト（図示せず）をマスクとしてドレイン金属層８をエッチングして、ソース／ドレイン電極、ドレイン配線などのパターンを形成する。
【００３５】
次に、ソース電極およびドレイン電極をマスクとしてｎ＋型ａ−Ｓｉ膜７をドライエッチングする。このエッチングにより、アイランド状の半導体層のソース電極およびドレイン電極間のｎ＋型ａ−Ｓｉ膜７がエッチングされてチャネルギャップが形成され、ＴＦＴ素子が形成される。
【００３６】
次に、全面にプラズマＣＶＤ法により例えばＳｉＮ膜を１５０〜２００ｎｍ程度成膜してパッシベーション膜９を形成した後、所要パターンに形成したレジスト（図示せず）をマスクとしてソース電極上のパッシベーション膜を部分的にエッチングし、コンタクトホール１１を形成する。
【００３７】
次に、全面にスパッタリング法により、例えばＩＴＯ（Indium Tin Oxide）などの透明導電膜を５０ｎｍ程度成膜し、所要パターンに形成したレジストをマスクとして上記透明導電膜をエッチングして画素電極１０を形成し、透明絶縁基板１上にＴＦＴを完成させる（図２（ｆ）参照）。
【００３８】
このように、本実施例の電極構造及び製造方法では、Ｃｕ層４がバリア金属膜３ａ、３ｂによって完全に覆われているため、Ｓｉとの相互反応を抑制することができ、耐薬品性、耐腐食性及び密着性を向上させることができる。また、ゲート配線２による段差がなくなるため、液晶配向の乱れによるディスクリネーション不良や上層にあるドレイン配線８ｂの断線不良、ソース／ドレイン電極の断切れ不良も抑制することができる。
【実施例２】
【００３９】
次に、本発明の第２の実施例に係る液晶表示装置用基板及びその製造方法について、図５を参照して説明する。図５は、図２は、本実施例のＴＦＴ基板の製造方法を示す図であり、図１のＡ−Ａ’線における断面構造を工程順に示した断面図である。なお、本実施例は、上記と同様の構造のゲート配線２及びゲート遮光膜２ａを形成する方法の他の例を示すものである。以下、図５を参照して説明する。
【００４０】
まず、図５（ａ）、（ｂ）に示すように、ガラスやプラスチックなどの透明絶縁基板１上に、公知のフォトリソグラフィー技術及びエッチング技術を用いてゲート配線を埋設するための溝１２を形成する。具体的には、ガラスにレジスト１３を塗布してパターニングし、バッファードフッ酸によりガラスをエッチングして、３００〜５００ｎｍ程度の深さの溝１２を形成する。
【００４１】
次に、図５（ｃ）、（ｄ）に示すように、リフトオフ技術により下層バリア金属膜３ａとＣｕ層４の２層を溝１２に形成する。具体的には、ガラスをバッファードフッ酸によりエッチングした後、下層バリア金属膜３ａをスパッタリング、その後Ｃｕ膜４を連続スパッタリングすることで、Ｃｕ層４／下層バリア金属膜３ａの２層構造を形成し、その後、レジスト１３を剥離して溝１２以外の下層バリア金属膜３ａ及びＣｕ層４を除去する。このスパッタリングの際、レジスト１３下の透明絶縁基板１がサイドエッチングされた部分にもスパッタ金属が回りこみ成膜されるため、溝１２の側壁にも下層バリア金属膜３ａを形成することが可能である。この下層バリア金属膜３ａは、例えばＣｒ、Ｍｏ、Ｔｉなどの高融点金属を用いることができ、その厚さは５０〜１００ｎｍ程度、Ｃｕ層４の厚さは、透明絶縁基板１の表面から盛り上がらない程度の膜厚（２００〜３００ｎｍ程度）とする。なお、Ｃｕ層４はＣｕを主成分とするものであればよく、他の材料を含んでいてもよい。
【００４２】
次に、図５（ｅ）に示すように、上層バリア金属膜３ｂをゲートパターン上に形成し、透明絶縁基板１に埋め込まれたゲート配線２を完成させる。この上層バリア金属膜３ｂは、無電解メッキ法を用いて形成することができるが、スパッタリング後、フォトリソグラフィー技術を用いることによっても形成可能である。この上層バリア金属膜３ｂは、例えばＣｒ、Ｍｏ、Ｔｉなどの高融点金属を用いることができ、その厚さは５０〜１００ｎｍ程度とする。また、上記ゲート配線２を形成する際に、ドレイン配線が形成される領域と画素電極が形成される領域との間の一部に、画素電極周囲から入射する余分な光を遮断するためのゲート遮光膜２ａを形成する。
【００４３】
その後、第１の実施例と同様に、ゲート絶縁膜５を介してアイランド状の半導体層を形成した後、ソース／ドレイン電極、ドレイン配線などを形成し、その上層のパッシベーション膜９を介して、コンタクトホール１１でソース電極に接続される画素電極１０を形成し、透明絶縁基板１上にＴＦＴを完成させる（図５（ｆ）参照）。
【００４４】
このように、本実施例の製造方法でも、Ｃｕ層４がバリア金属膜３ａ、３ｂによって完全に覆われているため、Ｓｉとの相互反応を抑制することができ、耐薬品性、耐腐食性及び密着性を向上させることができる。また、ゲート配線２による段差がなくなるため、液晶配向の乱れによるディスクリネーション不良や上層にあるドレイン配線８ｂの断線不良、ソース／ドレイン電極の断切れ不良も抑制することができる。
【００４５】
なお、上記各実施例では、逆スタガ構造（ボトムゲート構造）のチャネルエッチ型薄膜トランジスタを有するＴＦＴ基板について説明したが、本発明は上記実施例に限定されるものではなく、下層側の配線が上記構造を備えていればよく、チャネル保護型や、順スタガ構造（トップゲート構造）の薄膜トランジスタを有するＴＦＴ基板や、ＴＦＴ基板側にカラーフィルタを形成するＣＦｏｎＴＦＴ構造にも適用することができる。
【産業上の利用可能性】
【００４６】
本発明は、液晶表示装置用基板に限らず、例えば有機ＥＬ素子を用いた表示装置用の基板に対しても同様に適用することができる。
【図面の簡単な説明】
【００４７】
【図１】液晶表示装置を構成するＴＦＴ基板のゲート配線とドレイン配線の交点近傍の構造を模式的に示す平面図である。
【図２】本発明の第１の実施例に係るＴＦＴ基板の製造方法を示す工程図であり、図１のＡ−Ａ’線における構造を示す断面図である。
【図３】本発明の構造と従来の構造とを比較する図であり、図１のＢ−Ｂ’線における構造を示す断面図である。
【図４】本発明の構造と従来の構造とを比較する図であり、図１のＣ−Ｃ’線における構造を示す断面図である。
【図５】本発明の第２の実施例に係るＴＦＴ基板の製造方法を示す工程図であり、図１のＡ−Ａ’線における構造を示す断面図である。
【符号の説明】
【００４８】
１  透明絶縁基板
２  ゲート配線
２ａ  ゲート遮光膜
３ａ  下層バリア金属膜
３ｂ  上層バリア金属膜
４  Ｃｕ層
５  ゲート絶縁膜
６  ａ−Ｓｉ膜
７  ｎ＋ａ−Ｓｉ膜
８  ドレイン金属層
８ａ  ソース電極
８ｂ  ドレイン配線
９  パッシベーション膜
１０  画素電極
１１  コンタクトホール
１２  溝
１３  レジスト
【図１】
2006258965.tif 000003
【図２】
2006258965.tif 000004
【図３】
2006258965.tif 000005
【図４】
2006258965.tif 000006
【図５】
2006258965.tif 000007
【手続補正書】
【提出日】平成18年6月5日(2006.6.5)
【手続補正１】
【補正対象書類名】特許請求の範囲
【補正対象項目名】全文
【補正方法】変更
【補正の内容】
【特許請求の範囲】
【請求項１】
互いに略直交する方向に延在する下層側の第１の配線及び上層側の第２の配線と、前記第１の配線と前記第２の配線との交点近傍に配設されるスイッチング素子と、前記第１の配線と前記第２の配線とで囲まれる各々の画素領域内に形成される画素電極とを少なくとも備える液晶表示装置において、
前記第１の配線は、透明絶縁基板に予め形成された溝に埋設された、Ｃｕ層とその周囲を覆うバリア金属膜とで構成されることを特徴とする液晶表示装置。
【請求項２】
互いに略直交する方向に延在する下層側の第１の配線及び上層側の第２の配線と、前記第１の配線と前記第２の配線との交点近傍に配設されるスイッチング素子と、前記第１の配線と前記第２の配線とで囲まれる各々の画素領域内に形成される画素電極と、前記第２の配線と前記画素電極との間の領域の一部を含むように形成される前記第１の配線と同層の遮光膜とを少なくとも備える液晶表示装置において、
前記第１の配線及び前記遮光膜は、透明絶縁基板に予め形成された溝に埋設された、Ｃｕ層とその周囲を覆うバリア金属膜とで構成されることを特徴とする液晶表示装置。
【請求項３】
前記バリア金属膜は、前記溝の底部及び側壁に配設された第１のバリア金属膜と、前記溝の上部に配設された第２のバリア金属膜とで構成されることを特徴とする請求項１又は２に記載の液晶表示装置。
【請求項４】
互いに略直交する方向に延在する下層側の第１の配線及び上層側の第２の配線と、前記第１の配線と前記第２の配線との交点近傍に配設されるスイッチング素子と、前記第１の配線と前記第２の配線とで囲まれる各々の画素領域内に形成される画素電極とを少なくとも備える液晶表示装置の製造方法であって、
前記第１の配線を、
透明絶縁性基板の前記第１の配線を形成する領域に溝を形成する工程と、
前記溝の底部及び側壁に第１のバリア金属膜を形成する工程と、
前記第１のバリア膜で囲まれた領域にＣｕ層を形成する工程と、
前記溝の上部に第２のバリア金属膜を形成する工程と、により形成することを特徴とする液晶表示装置の製造方法。
【請求項５】
互いに略直交する方向に延在する下層側の第１の配線及び上層側の第２の配線と、前記第１の配線と前記第２の配線との交点近傍に配設されるスイッチング素子と、前記第１の配線と前記第２の配線とで囲まれる各々の画素領域内に形成される画素電極とを少なくとも備える液晶表示装置の製造方法であって、
前記第１の配線を、
透明絶縁性基板の前記第１の配線を形成する領域に溝を形成する工程と、
第１のバリア膜とＣｕ層とを連続して成膜し、前記溝の底部及び側壁に第１のバリア金属膜を形成すると共に前記第１のバリア膜で囲まれた領域にＣｕ層を形成する工程と、
前記溝の上部に第２のバリア金属膜を形成する工程と、により形成することを特徴とする液晶表示装置の製造方法。
【請求項６】
前記第１の配線を形成する際に、
前記透明絶縁性基板の前記第２の配線を形成する領域と前記画素電極を形成する領域との間の一部を含む領域に前記溝を形成し、該溝に前記第１の配線と同じ構造の遮光膜を形成することを特徴とする請求項４又は５に記載の液晶表示装置の製造方法。
【手続補正３】
【補正対象書類名】明細書
【補正対象項目名】０００１
【補正方法】変更
【補正の内容】
【０００１】
本発明は、液晶表示装置及びその製造方法に関し、特に、ＴＦＴ基板の配線構造及びその製造方法に関する。
【手続補正４】
【補正対象書類名】明細書
【補正対象項目名】０００８
【補正方法】変更
【補正の内容】
【０００８】
本発明は、上記問題点に鑑みてなされたものであって、その主たる目的は、Ｃｕ材料を用いる場合に生じる問題を回避するとともに、下層側の配線の段差に起因するディスクリネーション不良や上層側配線の断線不良の発生を抑制することができる配線構造を備えた液晶表示装置及びその製造方法を提供することにある。
【手続補正５】
【補正対象書類名】明細書
【補正対象項目名】０００９
【補正方法】変更
【補正の内容】
【０００９】
上記目的を達成するため、本発明は、互いに略直交する方向に延在する下層側の第１の配線及び上層側の第２の配線と、前記第１の配線と前記第２の配線との交点近傍に配設されるスイッチング素子と、前記第１の配線と前記第２の配線とで囲まれる各々の画素領域内に形成される画素電極とを少なくとも備える液晶表示装置において、前記第１の配線は、透明絶縁基板に予め形成された溝に埋設された、Ｃｕ層とその周囲を覆うバリア金属膜とで構成されるものである。
【手続補正６】
【補正対象書類名】明細書
【補正対象項目名】００１０
【補正方法】変更
【補正の内容】
【００１０】
また、本発明は、互いに略直交する方向に延在する下層側の第１の配線及び上層側の第２の配線と、前記第１の配線と前記第２の配線との交点近傍に配設されるスイッチング素子と、前記第１の配線と前記第２の配線とで囲まれる各々の画素領域内に形成される画素電極と、前記第２の配線と前記画素電極との間の領域の一部を含むように形成される前記第１の配線と同層の遮光膜とを少なくとも備える液晶表示装置において、前記第１の配線及び前記遮光膜は、透明絶縁基板に予め形成された溝に埋設された、Ｃｕ層とその周囲を覆うバリア金属膜とで構成されるものである。
【手続補正７】
【補正対象書類名】明細書
【補正対象項目名】００１２
【補正方法】変更
【補正の内容】
【００１２】
また、本発明の方法は、互いに略直交する方向に延在する下層側の第１の配線及び上層側の第２の配線と、前記第１の配線と前記第２の配線との交点近傍に配設されるスイッチング素子と、前記第１の配線と前記第２の配線とで囲まれる各々の画素領域内に形成される画素電極とを少なくとも備える液晶表示装置の製造方法であって、前記第１の配線を、透明絶縁性基板の前記第１の配線を形成する領域に溝を形成する工程と、前記溝の底部及び側壁に第１のバリア金属膜を形成する工程と、前記第１のバリア膜で囲まれた領域にＣｕ層を形成する工程と、前記溝の上部に第２のバリア金属膜を形成する工程と、により形成するものである。
【手続補正８】
【補正対象書類名】明細書
【補正対象項目名】００１３
【補正方法】変更
【補正の内容】
【００１３】
また、本発明の方法は、互いに略直交する方向に延在する下層側の第１の配線及び上層側の第２の配線と、前記第１の配線と前記第２の配線との交点近傍に配設されるスイッチング素子と、前記第１の配線と前記第２の配線とで囲まれる各々の画素領域内に形成される画素電極とを少なくとも備える液晶表示装置の製造方法であって、前記第１の配線を、透明絶縁性基板の前記第１の配線を形成する領域に溝を形成する工程と、第１のバリア膜とＣｕ層とを連続して成膜し、前記溝の底部及び側壁に第１のバリア金属膜を形成すると共に前記第１のバリア膜で囲まれた領域にＣｕ層を形成する工程と、前記溝の上部に第２のバリア金属膜を形成する工程と、により形成するものである。
【手続補正９】
【補正対象書類名】明細書
【補正対象項目名】００１６
【補正方法】変更
【補正の内容】
【００１６】
以上説明したように、本発明の液晶表示装置及びその製造方法によれば、下記記載の効果を奏する。
【手続補正１０】
【補正対象書類名】明細書
【補正対象項目名】００２１
【補正方法】変更
【補正の内容】
【００２１】
上記した本発明の実施の形態についてさらに詳細に説明すべく、本発明の第１の実施例に係る液晶表示装置及びその製造方法について、図１乃至図４を参照して説明する。図１は、液晶表示装置を構成するＴＦＴ基板のゲート配線とドレイン配線の交点近傍の構造を模式的に示す平面図であり、図２は、本実施例のＴＦＴ基板の製造方法を示す工程断面図である。また、図３及び図４は、本発明の構造と従来の構造とを比較するための図である。なお、以下では本発明の構造を逆スタガ構造のＴＦＴ基板に適用する場合について示す。
【手続補正１１】
【補正対象書類名】明細書
【補正対象項目名】００３９
【補正方法】変更
【補正の内容】
【００３９】
次に、本発明の第２の実施例に係る液晶表示装置及びその製造方法について、図５を参照して説明する。図５は、図２は、本実施例のＴＦＴ基板の製造方法を示す図であり、図１のＡ−Ａ’線における断面構造を工程順に示した断面図である。なお、本実施例は、上記と同様の構造のゲート配線２及びゲート遮光膜２ａを形成する方法の他の例を示すものである。以下、図５を参照して説明する。